(57)【要約】【課題】  無線リソースを浪費することなく携帯端末に最新のＲＳＳファイルを提供し、更に携帯端末から詳細情報の取得要求があった場合には当該文書を音声で配信して、利便性を向上させることができる無線内線電話システムにおける文書配信方法を提供する。【解決手段】  収集蓄積部１２が、外部サーバに備えられた詳細情報の場所を示すタグ情報を含む特定ファイル（ＲＳＳファイル）を定期的に取得し、更新されていれば、配信先として記憶されている携帯端末１６に当該特定ファイルを制御装置１１を介して送信すると共に、携帯端末１６からの要求によって制御装置１１からタグ情報が入力されると、タグ情報に基づいて外部サーバから詳細情報としての文書を取得して音声変換部１３に出力し、音声変換部１３が文書を音声データに変換し、制御装置１１が、要求元の携帯端末を発呼して通話を形成し、音声データを携帯端末に送信する文書配信方法である。【選択図】        図１
2011087149.tif 000002
【特許請求の範囲】
【請求項１】
無線内線電話システム内の無線通信を制御する制御装置と、
ネットワークを介して外部サーバより取得した情報を記憶する収集蓄積部と、
入力された文書を音声データに変換する音声変換部とを備えた無線内線電話システムにおける文書配信方法であって、
前記収集蓄積部が、前記外部サーバで閲覧可能とする詳細情報の概要を示すデータと前記詳細情報の場所を特定するタグ情報とを備えた特定ファイルを定期的に取得して記憶し、前記取得された特定ファイルが更新されていれば、前記特定ファイルの配信先として予め記憶されている携帯端末の固有番号を読み出して、前記特定ファイルと前記携帯端末の固有番号とを前記制御装置に出力するステップと、
前記制御装置が、前記固有番号によって特定される携帯端末に前記特定ファイルを送信するステップと、
前記制御装置が、前記携帯端末から、前記特定ファイルに含まれるタグ情報を用いた詳細情報の取得要求を受信すると、前記収集蓄積部に前記タグ情報を出力するステップと、
前記収集蓄積部が、前記タグ情報に基づいて外部サーバにアクセスして詳細情報としての文書を取得し、前記取得された文書を前記音声変換部に出力するステップと、
前記音声変換部が、入力された文書を音声データに変換して前記制御装置に出力するステップと、
前記制御装置が、前記詳細情報の取得要求の送信元の携帯端末を発呼して通話を形成し、前記音声変換部から入力された音声データを前記携帯端末に送信するステップと、を備えたことを特徴とする無線内線電話システムにおける文書配信方法。
【発明の詳細な説明】
【技術分野】
【０００１】
本発明は、無線端末に文書情報を配信する無線内線電話システムにおける文書配信方法に係り、特に、利便性を向上させると共に、無線リソースの節約を図り、端末の処理を軽減できる文書配信方法に関する。
【背景技術】
【０００２】
［先行技術の説明］
無線内線電話システムでは、システム内の携帯端末が、制御装置を介してＬＡＮ（Local Area Network）で外部の情報提供サーバやｗｅｂサーバにアクセスし、各種情報やｗｅｂページのコンテンツを閲覧可能である。
【０００３】
情報を提供する外部の情報提供サーバやｗｅｂサーバ、イントラネット等で接続されたサーバにおいては、現在搭載されているコンテンツの概要をまとめて表示するために特定の規格で記載されたＲＳＳ（RDF Site Summary, Rich Site Summary, Really Simple Syndication ）ファイルを作成しておき、コンテンツを閲覧する端末が、ＲＳＳファイルリーダといわれるソフトウェアを用いて、定期的にＲＳＳファイルを取得して、ＲＳＳファイルを解析し、各サーバで提供されるコンテンツのヘッドラインや要約等、また、更新された情報の有無を表示できるようになっている。
そして、ＲＳＳファイルには、ヘッドラインや要約等から詳細情報を取得するため、各ヘッドラインや要約に対応する文書全体の場所を特定するタグ情報が含まれている。
【０００４】
また、別の技術として、従来のパーソナルコンピュータ等の端末には、ｗｅｂページやその他のドキュメントを音声で読み上げるスクリーンリーダや、読み上げソフトと称されるソフトウェアも提供されている。
【０００５】
［関連技術］
尚、無線内線電話システムに関する技術としては、特開２００４−２７２６１９号公報「障害通知システム」（出願人：株式会社日立国際電気、特許文献１）がある。
特許文献１には、ブラウザ機能を有するＰＨＳ電話機と、障害通知装置とをＰＨＳ制御装置を介して接続して、障害発生装置が、障害発生を通知する音声情報を交換機を介してＰＨＳ電話機へ発信し、更に、ＰＨＳ電話機からブラウザ機能を介した要求があると、ネットワークを介して更なる情報を提供することが記載されている。
【先行技術文献】
【特許文献】
【０００６】
【特許文献１】特開２００４−２７２６１９号公報
【発明の概要】
【発明が解決しようとする課題】
【０００７】
しかしながら、従来の無線内線電話システムでは、携帯端末において最新のＲＳＳファイルを取得するには、常時ネットワークに接続していなければならず、周波数帯域を占有して無線リソースを常時消費してしまうという問題点があった。
また、無線内線電話システムで用いられる携帯端末においては、処理部の演算速度や記憶部の記憶容量に限度があるため、高品質の音声読み上げを実現することは困難であるという問題点があった。
【０００８】
本発明は、上記実状に鑑みて為されたもので、無線リソースを浪費することなく携帯端末に最新のＲＳＳファイルを提供し、更に携帯端末から詳細な文書を取得する要求があった場合には当該文書を音声で伝達して、利便性を向上させることができる無線内線電話システムにおける文書配信方法を提供することを目的とする。
【課題を解決するための手段】
【０００９】
上記従来例の問題点を解決するための本発明は、無線内線電話システム内の無線通信を制御する制御装置と、ネットワークを介して外部サーバより取得した情報を記憶する収集蓄積部と、入力された文書を音声データに変換する音声変換部とを備えた無線内線電話システムにおける文書配信方法であって、収集蓄積部が、外部サーバで閲覧可能とする詳細情報の概要を示すデータと詳細情報の場所を特定するタグ情報とを備えた特定ファイルを定期的に取得して記憶し、取得された特定ファイルが更新されていれば、特定ファイルの配信先として予め記憶されている携帯端末の固有番号を読み出して、特定ファイルと携帯端末の固有番号とを制御装置に出力するステップと、制御装置が、当該固有番号によって特定される携帯端末に特定ファイルを送信するステップと、制御装置が、携帯端末から、特定ファイルに含まれるタグ情報を用いた詳細情報の取得要求を受信すると、収集蓄積部にタグ情報を出力するステップと、収集蓄積部が、タグ情報に基づいて外部サーバにアクセスして詳細情報としての文書を取得し、取得された文書を音声変換部に出力するステップと、音声変換部が、入力された文書を音声データに変換して制御装置に出力するステップと、制御装置が、詳細情報の取得要求の送信元の携帯端末を発呼して通話を形成し、音声変換部から入力された音声データを携帯端末に送信するステップと、を備えたことを特徴としている。
【発明の効果】
【００１０】
本発明によれば、無線内線電話システム内の無線通信を制御する制御装置と、ネットワークを介して外部サーバより取得した情報を記憶する収集蓄積部と、入力された文書を音声データに変換する音声変換部とを備えた無線内線電話システムにおける文書配信方法であって、収集蓄積部が、外部サーバで閲覧可能とする詳細情報の概要を示すデータと詳細情報の場所を特定するタグ情報とを備えた特定ファイルを定期的に取得して記憶し、取得された特定ファイルが更新されていれば、特定ファイルの配信先として予め記憶されている携帯端末の固有番号を読み出して、特定ファイルと携帯端末の固有番号とを制御装置に出力するステップと、制御装置が、当該固有番号によって特定される携帯端末に特定ファイルを送信するステップと、制御装置が、携帯端末から、特定ファイルに含まれるタグ情報を用いた詳細情報の取得要求を受信すると、収集蓄積部にタグ情報を出力するステップと、収集蓄積部が、タグ情報に基づいて外部サーバにアクセスして詳細情報としての文書を取得し、取得された文書を音声変換部に出力するステップと、音声変換部が、入力された文書を音声データに変換して制御装置に出力するステップと、制御装置が、詳細情報の取得要求の送信元の携帯端末を発呼して通話を形成し、音声変換部から入力された音声データを携帯端末に送信するステップと、を備えた文書配信方法としているので、システム内の携帯端末が希望する特定ファイルを収集蓄積部が一括して定期的に取得し、配信を希望する携帯端末に定期的に配信することにより、個々の携帯端末がそれぞれ外部サーバに常時アクセスして所望の特定ファイルを取得するのに比べて無線リソースを大幅に節約することができる効果があり、更に、携帯端末から要求された詳細情報の文書を音声で出力することにより、利用者は携帯端末の小さい画面に表示された文書を読むのに比べて大量の情報を容易に取得することができ、利便性を向上させることができる効果がある。
【図面の簡単な説明】
【００１１】
【図１】本発明の実施の形態に係る無線通信システム（本システム）の動作の概要を示す模式説明図である。
【図２】本システムおいて用いられる無線機の構成を示す構成ブロック図である。
【図３】本システムの無線機における親機／子機の設定処理を示すフローチャート図である。
【図４】第１のシステム構築例（第１のシステム）を示す模式説明図である。
【発明を実施するための形態】
【００１２】
［実施の形態の概要］
本発明の実施の形態について図面を参照しながら説明する。
本発明の実施の形態に係る無線内線電話システムにおける文書配信方法は、外部サーバに接続して情報を取得する収集蓄積部と、無線内線電話システム内の通信制御を行う制御装置と、入力された文書を音声に変換して出力する音声変換部とを備えた無線内線電話システムにおいて、収集蓄積部が、予め各外部サーバで生成されるＲＳＳファイルの場所と、当該ＲＳＳファイルの配信を希望する携帯端末とを対応付けて記憶しておき、各ＲＳＳファイルを定期的に取得して配信を希望する携帯端末宛に制御装置を介して送信し、更に、収集蓄積部が、携帯端末が受信したＲＳＳファイルに基づいて送信した特定の文書を指定するタグ情報を制御装置を介して受信すると、外部サーバから当該特定の文書を取得して音声変換部に出力し、音声変換部が、入力された文書を音声に変換して制御装置に出力し、制御装置が、要求元の携帯端末を発呼して通話を形成して音声を送信するものであり、個々の携帯端末がそれぞれ最新のＲＳＳファイルを取得するのに比べて無線リソースを節約でき、また、携帯端末では、ＲＳＳファイルに基づいて詳細な情報を希望する文書を指定するタグ情報を制御装置に送信すれば、所望の文書を音声で受信して迅速に情報を取得することができ、利便性を向上させることができるものである。
【００１３】
また、本発明の実施の形態に係る無線内線電話システムにおける文書配信方法は、収集蓄積部が、タグ情報に基づいて取得した文書を制御装置に送信し、制御装置が当該文書の文字データを電子メールで要求元の携帯端末に送信するものであり、無線リソースを節約でき、また、携帯端末では、変換された音声を受信するのみならず、所望の文書の詳細を文字情報で閲覧したり後で読み返すこともでき、利便性を向上させることができるものである。
【００１４】
また、本発明の実施の形態に係る無線内線電話システムにおける文書配信方法は、携帯端末が、詳細情報を音声又は文字データのいずれかの受信態様で受信する指示を制御装置に出力し、制御装置が、受信態様とタグ情報とを収集蓄積部に出力し、収集蓄積部が、タグ情報に基づいて取得した文書を受信態様に基づいて音声変換部又は制御装置に出力するものであり、各利用者が詳細情報を音声か文字データのいずれで受信するかを任意に選択でき、利便性を向上させることができるものである。
【００１５】
また、本発明の実施の形態に係る無線内線電話システムは、無線内線電話システム内の無線通信を制御する制御装置と、ネットワークを介して外部サーバより取得した情報を記憶する収集蓄積部と、入力された文書を音声データに変換する音声変換部とを備え、収集蓄積部が、外部サーバで閲覧可能とする詳細情報の概要を示すデータと詳細情報の場所を特定するタグ情報とを備えた特定ファイルを定期的に取得して記憶し、取得された特定ファイルが更新されていれば、特定ファイルの配信先として予め記憶されている携帯端末の固有番号を読み出して、特定ファイルと携帯端末の固有番号とを制御装置に出力すると共に、制御装置からタグ情報が入力されると、当該タグ情報に基づいて外部サーバにアクセスして詳細情報としての文書を取得し、取得された文書を音声変換部に出力し、音声変換部が、収集蓄積部から入力された文書を音声データに変換して制御装置に出力し、制御装置が、収集蓄積部から固有番号と特定ファイルとが入力されると、当該固有番号によって特定される携帯端末に特定ファイルを送信すると共に、携帯端末から、特定ファイルに含まれるタグ情報を用いた詳細情報の取得要求を受信すると収集蓄積部にタグ情報を出力し、音声変換部から音声データが入力されると当該詳細情報の取得要求の送信元の携帯端末を発呼して通話を形成し、音声変換部から入力された音声データを携帯端末に送信する無線内線電話システムとしている。
【００１６】
［実施の形態に係る無線内線電話システムの構成：図１］
本発明の実施の形態に係る無線内線電話システムの構成について図１を用いて説明する。図１は、本発明の実施の形態に係る無線内線電話システムの構成ブロック図である。
図１に示すように、本発明の実施の携帯に係る無線内線電話システム（本システム）１は、ＬＡＮやＷＡＮ（Wide Area Network）等のネットワークを介して、外部サーバである情報提供サーバ２及び／又はウェブサーバ（図では「ｗｅｂページ」）３と接続している。
【００１７】
外部サーバについて簡単に説明する。
情報提供サーバ２は、文書を蓄積して閲覧させるものであり、定期的にＲＳＳファイルや要約等の、サーバが蓄積している情報の概要を示すデータ及び詳細情報（文書全体）の場所を特定するタグ情報を含むファイルを生成して特定の場所に保持している。
同様に、ｗｅｂサーバ３は、ｗｅｂページの記事を閲覧させるものであり、定期的にＲＳＳファイルや要約等のｗｅｂページで閲覧可能な情報の概要を示すデータ及び詳細情報のタグ情報を備えたファイルを生成して特定の場所に保持している。
尚、これらの外部サーバに蓄積された情報やｗｅｂページの概要を示すデータを備えたファイルを、単に「ＲＳＳファイル」と称するものとする。請求項に記載した「特定のファイル」は、外部サーバに蓄積された情報やｗｅｂページの概要を示すデータ及び詳細情報の場所を特定するタグ情報を備えたファイルに相当している。
【００１８】
情報提供サーバ２及びｗｅｂサーバ３は、制御部、記憶部、インタフェース等を備えたコンピュータである。また、例えば、情報提供サーバ３は一定時間毎若しくは情報が更新された場合に情報を配信するものであり、ｗｅｂサーバ３は、アクセスに応じて情報を提供するものが考えられる。
尚、外部サーバの代わりにイントラネットで接続されたシステム内のサーバであってもよい。
【００１９】
本システムの構成について具体的に説明する。
本システム１は、制御装置１１と、収集蓄積部１２と、音声変換部１３と、ＬＡＮインタフェース１４と、無線部１５と、携帯端末（図では「端末」と記載）１６を備えている。
制御装置１１は、システム全体の制御を行うものであり、特にシステム内の携帯端末１６との通信を行うと共に、ＬＡＮ等のネットワークにおける通信プロトコルを備え、外部との通信制御を行う。制御装置１１は、通信制御のために、携帯端末１６の固有番号と電話番号とメールアドレスとを対応付けて記憶している。
【００２０】
更に、本システムの特徴として、制御装置１１は、携帯端末１６から特定の文書の場所を示すタグ情報を付した取得要求を受信すると、要求元の携帯端末１６の固有番号と共に当該要求を収集蓄積部１２に出力し、音声変換部１３から携帯端末１６の固有番号が付された音声情報が入力されると、当該固有番号の携帯端末１６を発呼して、当該音声情報を通話によって送信する。
【００２１】
収集蓄積部１２は、記憶部を備え、情報提供サーバ２及びウェブサーバ３から情報を収集し、記憶部に蓄積するものであり、特に、本システムの収集蓄積部１２は、予め登録されたＲＳＳファイルを定期的に取得して配信先として記憶されている携帯端末に制御装置１１を介して送信する。
また、収集蓄積部１２は、記憶部に、各外部サーバのＲＳＳファイルの場所（パスやＵＲＬ）を記憶していると共に、それぞれの場所に対応して、各ＲＳＳファイルの配信を希望する携帯端末１６の固有番号を配信先として記憶している。
制御装置１１、収集蓄積部１２の動作については後で詳細に説明する。
【００２２】
尚、制御装置１１及び収集蓄積部１２は制御部と記憶部とを備えたコンピュータで構成され、記億部に記憶されたプログラムを制御部が起動して処理を行うことにより、動作を実現するものである。また、制御装置１１と収集蓄積部１２とを一体に形成しても構わない。
【００２３】
音声変換部１３は、入力された文章を解析する解析手段と、解析データに基づいて音声データを生成する音声データ生成手段とを備え、入力された文章を音声データとして出力する。
ＬＡＮインタフェース１４は、ＬＡＮに接続する。
無線部１５は、制御装置１１から出力されたデータを変調して無線信号として出力すると共に、受信した無線信号を復調して受信データを制御装置１１に出力する。
【００２４】
携帯端末１６は、利用者が携帯する端末であり、収集蓄積部１２から制御装置１１を介して配信されるＲＳＳファイルを表示する。
また、携帯端末１６は、更に詳細な情報を取得したい場合には、ＲＳＳファイルの短文を選択指定することにより、制御装置１１に詳細情報の場所を特定するタグ情報を含む取得要求を送信して、外部サーバからの詳細情報を音声で受信する。
【００２５】
［本システムにおける文書配信方法の概要］
次に、本システムにおける文書配信方法について説明する。
本システムでは、複数の携帯端末１６がそれぞれ外部サーバにアクセスしてＲＳＳファイルを取得するのではなく、収集蓄積部１２が、システム内の携帯端末が希望するＲＳＳファイルを一括して定期的に取得し、ＲＳＳファイルに更新があった場合には、当該ファイルを、予め配信先として登録された携帯端末１６に配信する。
これにより、個々の端末が常時ネットワーク接続してＲＳＳファイルを取得するのに比べて、無線リソースを大幅に節約できるものである。
【００２６】
更に、本システムでは、ＲＳＳファイルを受信した携帯端末１６から、当該ＲＳＳファイルに含まれるタグ情報を含む詳細情報の取得要求が送信されると、収集蓄積部１２がタグ情報に基づいて外部サーバから文書全体を取得し、音声変換部１３が当該文書を音声に変換し、制御装置１１が要求元の携帯端末１６を発呼して通話を形成し、音声を出力する。
これにより、携帯端末１６の利用者は、詳細な情報を音声で迅速に取得でき、利便性を向上できるものである。
【００２７】
［具体的な動作：図２，３，４］
本システムにおける文書配信方法について具体的に説明する。
［ＲＳＳの取得と携帯端末への配信：図２］
まず、ＲＳＳファイルの取得と携帯端末への配信について図２を用いて説明する。図２は、本システムにおけるＲＳＳファイルの取得と携帯端末への配信の動作を示す説明図である。尚、図２〜図４においては、わかり易くするために、無線内線電話システムの構成として、制御装置１１、収集蓄積部１２、音声変換部１３、携帯端末１６のみを示している。
【００２８】
収集蓄積部１２は、予め、内部の記憶部に外部サーバが生成するＲＳＳファイルの場所を記憶すると共に、各ＲＳＳファイルに対応して当該ＲＳＳファイルの配信を希望する携帯端末１６の固有番号を配信先として記憶しておく。
【００２９】
そして、図２に示すように、収集蓄積部１２は、場所の情報に基づいて定期的にＲＳＳファイルにアクセスして、ＲＳＳファイルを取得し内部の記憶部に記憶する。
そして、収集蓄積部１２は、取得したＲＳＳファイルと前回の取得時のファイルとを比較して、当該ＲＳＳファイル更新されているかどうかを判断し、更新されている場合には、配信先の情報を読み出して、取得したＲＳＳファイルと配信先の携帯端末１６の固有番号とを制御装置１１に出力する。
【００３０】
制御装置１１は、収集蓄積部１２から入力された携帯端末１６の固有番号に基づいて配信先の携帯端末１６のメールアドレスを読み出し、当該ＲＳＳファイルを一斉メール等で各携帯端末１６に送信する。
携帯端末１６は、受信したＲＳＳファイルを表示する。これにより、携帯端末１６では、常時ネットワーク接続しなくてもＲＳＳファイルや要約を定期的に受信して、最新の情報を取得して閲覧可能とするものであり、無線リソースを大幅に節約できるものである。
このようにして、ＲＳＳファイルの取得と携帯端末への配信の動作が行われる。
【００３１】
［詳細情報の取得：図３］
次に、詳細情報の取得について図３を用いて説明する。図３は、本システムにおける詳細情報の取得の動作を示す説明図である。
ＲＳＳファイルは、詳細情報の概要として、ヘッドラインや要約等の短文を複数備え、それぞれの短文には、対応する詳細情報の場所を示すタグ情報が埋め込まれており、短文を選択することによりタグに基づいて文書ファイルにアクセスして、より詳細な情報を取得することができるようになっている。
【００３２】
そして、図３に示すように、携帯端末１６が、受信したＲＳＳファイルに基づいてヘッドラインや要約を表示した時、より詳細な情報を取得したい文章や記事があった場合に、利用者のキー操作によって当該ヘッドラインや要約等の短文が選択されると、携帯端末１６は、選択された短文に含まれるタグ情報を付して、制御装置１１に対して詳細情報の取得を要求する。詳細情報の取得要求には当該携帯端末１６の固有番号が含まれる。
【００３３】
制御装置１１は、携帯端末１６から詳細情報の取得要求を受信すると、情報配信の制御のために、例えば当該要求に対応する受付番号を付与し、受付番号と要求元の携帯端末の固有番号を対応付けて内部に保持しておくと共に、タグ情報と受付番号とを収集蓄積部１２に転送する。
【００３４】
収集蓄積部１２は、制御装置１１から受信した受付番号とタグ情報とを対応付けて保持しておく。
そして、収集蓄積部１２は、受信したタグ情報に基づいて、外部サーバにアクセスして、指定された記事や文章の全文を取得し、内部の記憶部に記憶する。その際、収集蓄積部１２は取得した詳細情報を受付番号に対応付けて記憶する。
このようにして本システムにおいて詳細文章が取得されるものである。
【００３５】
これにより、本システムでは、ＲＳＳファイルに基づいて複数の携帯端末から詳細情報の取得要求があると、収集蓄積部１２が一括して詳細情報を取得するので、各携帯端末１６が個別に外部サーバにアクセスするのに比べて無線リソースを節約することができるものである。
【００３６】
［詳細情報を音声として配信：図４］
次に、取得した詳細情報の文章を音声で配信する動作について図４を用いて説明する。図４は、詳細情報の文章を音声で配信する動作を示す説明図である。
収集蓄積部１２は、取得した詳細情報を受付番号に対応付けて記憶した後、図４に示すように、詳細情報と受付番号とを音声変換部１３に出力する。
【００３７】
音声変換部１３は、入力された詳細情報である文書データを解析して、音声データに変換し、音声データを受付番号と共に制御装置１１に出力する。
制御装置１１は、受付番号に基づいて、要求元の携帯端末１６の固有番号を特定して当該端末の電話番号を発呼し、回線接続後、当該音声データを携帯端末に送信する。
要求元の携帯端末１６は、制御装置１１からの発呼に対してオフフックして通話が形成されると、受信した音声データに基づいて音声をスピーカから出力する。
このようにして詳細情報の音声での配信が行われるものである。
【００３８】
これにより、要求元の携帯端末１６は、詳細情報を音声で受信することができ、特に、携帯端末の小さい画面で長い文章を読むのに比べて、容易且つ迅速に記事や文章の内容を把握でき、利便性を向上させることができるものである。
尚、詳細情報の取得要求に応じた着信時には、報知音やＬＥＤの点滅等の着信動作の態様を固有なものにして、利用者に通常の着信ではないことを知らせるようにしてもよい。
また、受信した音声は携帯端末にて録音され、繰り返し聞くことが可能であることが好ましい。
【００３９】
［詳細情報を文字データで配信］
詳細情報を配信する方法として、音声のほかに文字データでの配信を行う場合について説明する。
ＲＳＳファイルの収集と配信は、上述した例と同じであり（図２参照）、ＲＳＳ情報を受信した携帯端末１６からの詳細情報の取得要求及びその後の制御装置１１と収集蓄積部１２の動作が一部異なっている。
この場合、携帯端末１６側から詳細情報を要求する際に、詳細情報の受信態様として、音声又は文字データのいずれかを指定して要求するようになっている。つまり、詳細情報の取得要求には、タグ情報と、当該携帯端末１６の固有番号と、詳細情報の受信態様を指定する情報が含まれる。
【００４０】
そして、制御装置１１は、携帯端末１６から詳細情報の取得要求を受信すると、当該要求に対応する受付番号を付与し、受付番号と要求元の携帯端末の固有番号を対応付けて内部に記憶すると共に、タグ情報と受付番号と受信態様とを指定する情報を収集蓄積部１２に転送する。
【００４１】
収集蓄積部１２は、制御装置１１から入力された受付番号とタグ情報と受信態様とを対応付けて保持しておく。
そして、図３に示した音声のみの場合と同様に、受信したタグ情報に基づいて、外部サーバにアクセスして、指定された記事や文章の全文を取得し、内部の記憶部に受付番号に対応付けて記憶する。
【００４２】
そして、収集蓄積部１２は、当該受付番号に対応する受信態様が音声であるか文字データであるかを判断し、音声の場合には図３に示したように詳細情報を受け付け番号と共に音声変換部１３に出力する。
一方、受付番号に対応する受信態様が文字データの場合には、収集蓄積部１２は、詳細情報の文字データを受付番号と共に制御装置１１に出力する。
【００４３】
そして、制御装置１１は、詳細情報が入力されると要求元の携帯端末１６を特定して、当該携帯端末１６のメールアドレス宛に電子メールで詳細情報の全文を送信する。
携帯端末１６は、当該電子メールを受信して、アラーム出力等の報知動作を行って、ユーザの操作によりメールで受信した詳細情報の全文を表示する。尚、詳細情報要求に基づくメール着信時には、着信動作の態様を固有なものにしてもよい。
このようにして、詳細情報の文字データをメールにより配信するものである。
【００４４】
これにより、要求元の携帯端末１６は、詳細情報を文字データで受信することができ、受信したデータを記憶しておけば後で読み直すことも可能である。
また、詳細情報を音声又は文字データのいずれかの態様で受信することができるので、利用者が任意に選択でき、利便性を向上させることができるものである。
更に、本システム及び本方法では、詳細情報を音声及び文字データの両方の態様で受信することも可能であり、利用者の更なる利便性を向上させることができるものである。
【００４５】
［実施の形態の効果］
本発明の実施の形態に係る無線内線電話システム及び文書配信方法によれば、収集蓄積部１２が、ＲＳＳファイルの場所と配信先となる携帯端末の固有番号とを対応付けて記憶しておき、定期的に外部サーバからＲＳＳファイルを取得して、更新されている場合には、当該ＲＳＳファイルに対応する配信先として記憶されている携帯端末の固有番号を読み出して制御装置１１に出力し、制御装置１１が、当該固有番号に対応する携帯端末１６にＲＳＳファイルを一斉送信する無線内線電話システムとしているので、個々の携帯端末１６がそれぞれ外部サーバにアクセスして最新のＲＳＳファイルを取得するのに比べて無線リソースを節約でき、携帯端末１６の処理を軽減できる効果がある。
【００４６】
また、本無線内線電話システム及び文書配信方法によれば、制御装置１１が、携帯端末からタグ情報及び詳細情報の取得要求元の固有番号を含む詳細情報の要求を受信すると、当該要求に受付番号を付して、当該受付番号と要求元の固有番号と対応付けて記憶しておくと共に、受付番号とタグ情報とを収集蓄積部１２に出力し、収集蓄積部１２が当該タグ情報に基づいて外部サーバの文書にアクセスして詳細情報の文書を取得し、取得された文書を受付番号と共に音声変換部１３に出力し、音声変換部１３が、入力された文書を解析して音声データに変換して受付番号と共に制御装置１１に出力し、制御装置１１が受付番号に基づいて当該要求元の携帯端末１６を特定し、当該要求元の携帯端末１６を発呼して、回線接続後、音声で詳細情報を送信する無線内線電話システムとしているので、携帯端末の小さい画面で多量の文字情報を読むのに比べて、音声によって多くの情報を迅速に取得することができ、利便性を向上させることができる効果がある。
【００４７】
また、本無線内線電話システム及び文書配信方法によれば、携帯端末１６において、受信態様として音声又は文字データのいずれかを選択可能とし、制御装置１１が、携帯端末１６から、タグ情報と詳細情報の取得要求元の固有番号及び詳細情報の受信態様として文字データを指定する情報を含む詳細情報の取得要求を受信すると、当該要求に受付番号を付して、受付番号と当該要求元の携帯端末１６の固有番号と対応付けて記憶しておくと共に、受付番号とタグ情報と受信態様を指定する情報を収集蓄積部１２に出力し、収集蓄積部１２が当該タグ情報に基づいて外部サーバの文書にアクセスして詳細情報の文書を取得し、取得された文書を受信態様を指定する情報に基づいて受付番号と共に制御装置１１に出力し、制御装置１１が、当該受付番号に対応する要求元の携帯端末１６に詳細情報の文字データを電子メールで送信するようにしているので、受信した文字データを記憶しておけば後で読み直すことができ、また、各利用者が詳細情報を音声か文字データのいずれで受信するかを任意に選択でき、利便性を向上させることができる効果がある。
【産業上の利用可能性】
【００４８】
本発明は、利便性を向上させると共に、無線リソースの節約を図り、端末の処理を軽減できる無線内線電話システムにおける文書配信方法に適している。
【符号の説明】
【００４９】
１…無線内線電話システム、  ２…外部サーバ、  ３…ｗｅｂサーバ、  １１…制御装置、  １２…収集蓄積部、  １３…音声変換部、  １４…ＬＡＮインタフェース、  １５…無線部、  １６…携帯端末（端末）
【図１】
2011087149.tif 000003
【図２】
2011087149.tif 000004
【図３】
2011087149.tif 000005
【図４】
2011087149.tif 000006